(57)【要約】【課題】簡素な構成で吸込仕事率を向上できる電気掃除機を提供する。【解決手段】電気掃除機１は、掃除機本体２と、電動送風機12と、電動送風機12を掃除機本体２に対して弾性的に支持する支持体26と、支持体26を固定する規制部と、を有する。支持体26は、電動送風機12の吸気風を整流する整流部34を備える。【選択図】図１
2019208901.tif 000002
【特許請求の範囲】
【請求項１】
掃除機本体と、
電動送風機と、
前記電動送風機を前記掃除機本体に対して弾性的に支持する支持体と、
前記支持体を固定する規制部と、を具備し、
前記支持体は、前記電動送風機の吸気風を整流する整流部を備える
ことを特徴とする電気掃除機。
【請求項２】
前記支持体は、一体成形されている
ことを特徴とする請求項１記載の電気掃除機。
【請求項３】
前記整流部は、前記電動送風機の吸気側に向かって滑らかな曲面状に形成された整流面を有する
ことを特徴とする請求項１又は２記載の電気掃除機。
【請求項４】
前記支持体は、表面が滑らかな軟質部材により形成されている
ことを特徴とする請求項１ないし３いずれか一記載の電気掃除機。
【請求項５】
前記規制部は、前記支持体を介して前記電動送風機の吸気側への移動を規制する移動規制部を備える
ことを特徴とする請求項１ないし４いずれか一記載の電気掃除機。
【請求項６】
前記規制部は、前記支持体を介して前記電動送風機のラジアル方向の位置を規制する位置規制部を備える
ことを特徴とする請求項１ないし５いずれか一記載の電気掃除機。
【請求項７】
前記電動送風機を前記支持体とは反対側の位置で前記掃除機本体に対して弾性的に支持する支持部材を備える
ことを特徴とする請求項１ないし６いずれか一記載の電気掃除機。
【発明の詳細な説明】
【技術分野】
【０００１】
本発明の実施形態は、電動送風機を掃除機本体に対して支持する支持体を備えた電気掃除機に関する。
【背景技術】
【０００２】
従来、電気掃除機に用いられる電動送風機は、駆動時に生じる振動を低減するために、防振ゴム等の支持体によって掃除機本体の内部に支持されている。吸込仕事率を向上させるために、電動送風機の吸気側にインデューサを取り付け、電動送風機に吸い込まれる吸気風の流れを整流して吸込仕事率を向上することも考えられるが、部品点数が増えるため、より簡素な構成で吸込仕事率の向上を図ることが望まれている。
【先行技術文献】
【特許文献】
【０００３】
【特許文献１】特開平２−１２４１１９号公報
【特許文献２】特開平６−３０８６１号公報
【発明の概要】
【発明が解決しようとする課題】
【０００４】
本発明が解決しようとする課題は、簡素な構成で吸込仕事率を向上できる電気掃除機を提供することである。
【課題を解決するための手段】
【０００５】
実施形態の電気掃除機は、掃除機本体と、電動送風機と、電動送風機を掃除機本体に対して弾性的に支持する支持体と、支持体を固定する規制部と、を有する。支持体は、電動送風機の吸気風を整流する整流部を備える。
【図面の簡単な説明】
【０００６】
【図１】第１の実施形態の電気掃除機本体を示す断面図である。
【図２】同上電気掃除機の斜視図である。
【図３】第２の実施形態の電気掃除機本体を示す断面図である。
【発明を実施するための形態】
【０００７】
(第１の実施形態)
以下、第１の実施形態について、図面を参照して説明する。
【０００８】
図２において、１は電気掃除機である。電気掃除機１は、本実施形態において、ユーザが床面上を走行させて移動させ、床面上の塵埃を掃除する床面を掃除する。本実施形態では、電気掃除機１として、キャニスタ型の電気掃除機を例に挙げて説明するが、アップライト型やスティック型、ハンディ型の電気掃除機等でもよく、自律走行式のロボットクリーナ等でもよい。
【０００９】
電気掃除機１は、掃除機本体２を備えている。掃除機本体２には、本実施形態において、風路体３が着脱可能に接続される。風路体３は、吸込風路を形成するものである。風路体３は、本実施形態において、ホース体４、延長管５、および、吸込口体６を備えている。また、風路体３は、ユーザが把持操作する操作部７を備えている。操作部７には、電気掃除機１の起動および停止を設定する設定手段８が配置されている。なお、風路体３は、電気掃除機１がアップライト型やスティック型、ハンディ型の場合にはそれぞれの態様に対応する構成とすればよく、電気掃除機１がロボットクリーナである場合には不要である。
【００１０】
掃除機本体２には、集塵部10が設けられている。集塵部10は、掃除機本体２に対して着脱可能な紙パックやフィルタ等でもよいし、集塵カップでもよい。また、掃除機本体２には、吸込口11が形成されている。吸込口11は、集塵部10と連通している。本実施形態において、吸込口11には風路体３が接続される。
【００１１】
また、図１に示すように、掃除機本体２には、集塵部10に塵埃を吸い込むための吸引源となる電動送風機12が配置されている。本実施形態において、電動送風機12は、床面に対して水平方向に沿わせて配置されているが、この配置には限定されない。電動送風機12は、吸気口13と排気口14とを備える。電動送風機12は、吸気口13が、集塵部10と連通する風路15と接続され、排気口14が、掃除機本体２の排出口と連通する排気風路と接続されている。また、電動送風機12は、一端側にモータ部17を備えている。モータ部17は、外部電源や二次電池等の電源部からの給電により動作する電動部となるモータ本体部18が円筒状のフレーム19により覆われて構成されている。フレーム19は、金属又は樹脂により有底円筒状に形成されている。フレーム19には、電動送風機12の排気口14が形成されている。また、フレーム19には、底部に円筒状のモータヘッド部20が突設されている。モータヘッド部20は、フレーム19と同軸状に形成されている。モータヘッド部20は、フレーム19よりも径寸法が小さく形成されている。また、モータヘッド部20の内部には、モータ本体部18の回転軸を支持するベアリングやベアリングとともに回転軸をスラスト方向に付勢するばね等の付勢手段が収容されている。また、電動送風機12は、他端側にファン部22を備えている。ファン部22は、回転軸に接続されてモータ本体部18の駆動により回転されるファン23を備えている。また、ファン部22は、ファン23を覆ってフレーム19の端部に取り付けられるカバー体である円筒状のファンカバー24を備えている。ファンカバー24は、金属又は樹脂により有蓋円筒状に形成されている。ファンカバー24には、電動送風機12の吸気口13が中央部に形成されている。また、ファンカバー24は、フレーム19よりも径寸法が大きく形成されている。
【００１２】
電動送風機12は、支持体26によって掃除機本体２に対して弾性的に支持されている。本実施形態の支持体26は、モータクッションであり、電動送風機12に対して支持するものである。本実施形態の支持体26は、電動送風機12の一端側であるファン部22側を支持する。支持体26は、弾性を有する部材により形成されている。また、支持体26は、耐熱性を有する部材により形成されている。さらに、支持体26は、軟質部材により形成されている。本実施形態の支持体26は、例えばエチレンプロピレンゴム、クロロプレンゴム、ニトリルゴム等により形成されている。また、支持体26は、表面が滑らかな部材により形成されていてもよいし、発泡ゴム等のように、表面に微細な凹凸を有する部材により形成されていてもよい。
【００１３】
支持体26は、電動送風機12の外周を掃除機本体２に対して支持する第１支持部28を備えている。本実施形態の電動送風機12の配置方向の場合、第１支持部28は、電動送風機12を重力方向に支持する重力支持部となっている。第１支持部28は、ファンカバー24の外周に当接して、ファンカバー24の外周の位置を掃除機本体２に対して支持する。また、第１支持部28は、ファンカバー24の周方向の複数箇所に舌片状に形成されていてもよいし、ファンカバー24の外周全周に亘って連続する円筒状に形成されていてもよい。また、支持体26を固定するための規制部が設けられている。本実施形態において、規制部は第１支持部28を固定するための位置規制部29を有し、位置規制部29が掃除機本体２に当接する。位置規制部29は、支持体26を介して電動送風機12の位置をラジアル方向に規制するものである。ラジアル方向とは、電動送風機12の回転軸に対して垂直な、電動送風機12の径方向をいう。位置規制部29は、本実施形態においてリブであり、掃除機本体２を構成する部品から突設され、先端側が第１支持部28と当接している。位置規制部29は、掃除機本体２の外殻をなす本体ケース等から突設されていてもよいし、本体ケースの内部に収容されて掃除機本体２の一部をなし電動送風機12の少なくとも一部を覆うモータカバー等から突設されていてもよい。また、位置規制部29は、本実施形態において、電動送風機12を、支持体26を介して互いに反対側からラジアル方向に挟むように形成されている。位置規制部29は、配置されなくてもよい。
【００１４】
また、支持体26は、電動送風機12の吸気側を掃除機本体２に対して支持する第２支持部31を備えている。本実施形態の第２支持部31は、電動送風機12を風路15側から支持するものである。また、本実施形態の第２支持部31は、電動送風機12の吸引力の反力によって風路15側へと吸い寄せられる電動送風機12の移動に対して、電動送風機12を支持する支持部となっている。第２支持部31は、円筒状に形成され、ファンカバー24の天面部と当接して、ファンカバー24の天面部を掃除機本体２に対して支持する。また、第２支持部31は、ファンカバー24の外周縁部に沿って位置している。規制部は、第２支持部31を固定するための移動規制部32を有し、移動規制部32が掃除機本体２に当接する。移動規制部32は、支持体26を介して電動送風機12の吸気側へのスラスト方向の移動を規制するものである。スラスト方向とは、電動送風機12の回転軸に平行な、電動送風機12の軸方向をいう。移動規制部32は、本実施形態において円筒状のリブであり、掃除機本体２を構成する部品から突設され、先端側が第２支持部31と当接する。移動規制部32は、本体ケース等から突設されていてもよいし、モータカバー等から突設されていてもよい。また、移動規制部32は、風路15の壁の一部を構成していてもよい。
【００１５】
また、支持体26は、電動送風機12の吸気風を整流する整流部34を備えている。整流部34は、本実施形態において、第２支持部31に対して電動送風機12の回転軸側に位置し、ファンカバー24の中心軸の周辺の位置と当接している。また、整流部34は、移動規制部32を避けて位置している。本実施形態の整流部34は、移動規制部32に対して、少なくとも電動送風機12のスラスト方向に当接しない位置となっている。さらに、整流部34は、電動送風機12の吸気側に向かって滑らかな曲面状に形成された整流面35を有する。整流面35は、電動送風機12の吸気側に向かって、上流側から下流側へと徐々に縮径されている。また、整流面35は、本実施形態の場合、電動送風機12の吸気側に向かって、上流側から下流側へとラジアル方向から徐々にスラスト方向に湾曲するように形成されている。
【００１６】
そして、本実施形態の支持体26は、第１支持部28、第２支持部31、および、整流部34が一体成形され、これら第１支持部28、第２支持部31、および、整流部34が互いに連なって形成されている。
【００１７】
さらに、本実施形態の電動送風機12は、支持体26とは別体の支持部材37によって掃除機本体２に対して支持されていてもよい。支持部材37は、電動送風機12を支持体26とは反対側の位置で掃除機本体２に対して支持する。本実施形態の支持部材37は、電動送風機12の他端側である排気側を掃除機本体２に対して弾性的に支持する。また、本実施形態の支持部材37は、電動送風機12のフレーム19およびモータヘッド部20を掃除機本体２に対して弾性的に支持する。さらに、支持部材37は、支持体26と同様のゴム等の弾性を有する部材により形成されている。また、支持部材37は、本実施形態において、掃除機本体２に形成された取付部38に取り付けられている。取付部38は、電動送風機12の底部に対向して形成され、電動送風機12に対してスラスト方向に離れて位置している。そして、取付部38と電動送風機12の底部との間に、支持部材37が挟み込まれて位置している。
【００１８】
次に、第１の実施形態の作用を説明する。
【００１９】
設定手段８が操作されて電気掃除機１が起動すると、電動送風機12が動作して負圧を発生させる。電動送風機12では、モータ本体部18が駆動してファン23を回転させることで負圧を発生させる。ユーザは操作部７を把持操作し、吸込口体６等から床面の塵埃を空気とともに吸い込む。電動送風機12は、支持体26により掃除機本体２に対して弾性的に支持されていることで、電動送風機12の駆動により生じる振動の掃除機本体２への伝達が抑制され、静音性が確保される。また、支持体26の第２支持部31が、電動送風機12の吸引力の反力により移動規制部32に圧接され、電動送風機12の吸気側の風路15との接続のシール性を保ちつつ電動送風機12のスラスト方向への移動を規制する。
【００２０】
そして、含塵空気は吸込口11から集塵部10へと吸い込まれ、集塵部10において塵埃が分離捕集される。塵埃が分離された空気は、風路15へと流入した後、支持体26の整流部34の整流面35に沿って徐々にスラスト方向に整流されつつ吸気口13から電動送風機12に吸い込まれる。電動送風機12に吸い込まれた空気は、電動送風機12を冷却した後、電動送風機12の排気口14から排気風路へと排気され、排気風路から排出口を介して掃除機本体２の外部へと排出される。
【００２１】
以上説明した第１の実施形態によれば、電動送風機12を掃除機本体２に対して弾性的に支持する支持体26が、電動送風機12の吸気側に対して吸気風を整流する整流部34を備えることで、別途インデューサ等の整流体を設ける必要がない。そのため、部品点数を増加させることなく、簡素な構成で吸込仕事率を向上でき、吸引力を向上できる。
【００２２】
また、支持体26が一体成形されているため、支持体26を容易に製造できるとともに、電動送風機12に対して支持体26を容易に組み付けでき、製造性を向上できる。
【００２３】
整流部34が電動送風機12の吸気側に向かって滑らかな曲面状に形成された整流面35を有するので、整流面35に沿って、電動送風機12の吸気側へと吸気風を効果的に整流できる。
【００２４】
ここで、支持体26が、表面が滑らかな軟質部材により形成されている場合には、整流部34の整流面35での吸気風の摩擦抵抗を抑制できるので、吸込仕事率の向上を図ることができる。一方、支持体26が、表面が滑らかでない軟質部材により形成されている場合には、整流部34の整流面35が消音器として効果的に作用し、静音性を向上できる。
【００２５】
また、支持体26を介して電動送風機12のスラスト方向の移動を移動規制部32により規制するので、吸引力の反力によって移動しようとする電動送風機12を移動規制部32の位置で支持しつつ、移動規制部32を避けて整流部34が位置しているので、整流部34の整流面35の面積を確保できるとともに、整流面35が移動規制部32に圧接されて変形されることがない。しかも、電動送風機12の吸引力の反力によって移動規制部32に対して支持体26が圧接されるため、シール部材等を別途用いることなく電動送風機12の吸気側と風路15との接続のシール性を向上でき、吸込仕事率の向上に寄与する。
【００２６】
さらに、支持体26を介して電動送風機12のラジアル方向の位置を位置規制部29により規制するため、位置規制部29と支持体26との当接位置である第１支持部28とにより、掃除機本体２の走行時に床面の段差を乗り越える際等に生じる衝撃から電動送風機12を保護できる。
【００２７】
このように、支持体26は、電動送風機12の弾性支持、吸気風の整流、および、電動送風機12の吸気側のシールのそれぞれの機能を１つの部材によって兼ねることができる。そのため、各機能をそれぞれ別個の部材に持たせる場合と比較して、部品点数の抑制が可能であり、電気掃除機１をより安価に、かつ、容易に製造することが可能となる。
【００２８】
また、電動送風機12を支持体26とは反対側の位置で掃除機本体２に対して支持部材37により弾性的に支持することで、電動送風機12を支持体26と支持部材37とによって両端の位置で掃除機本体２に対して安定的に支持できるとともに、電動送風機12の駆動により生じる振動を、掃除機本体２に対してより伝達させにくくできる。
【００２９】
(第２の実施形態)
次に、第２の実施形態について、図３を参照して説明する。なお、上記第１の実施形態と同様の構成および作用については、同一符号を付してその説明を省略する。
【００３０】
本実施形態は、支持体26の整流面35が、電動送風機12の吸気側に向かって、上流側から下流側へとスラスト方向から徐々にラジアル方向に湾曲するように形成されている。本実施形態の整流面35は、すり鉢状に湾曲して形成されている。
【００３１】
そして、本実施形態でも、部品点数を増加させることなく、簡素な構成で吸込仕事率を向上でき、吸引力を向上できる効果を奏する。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１    電気掃除機
２    掃除機本体
12    電動送風機
26    支持体
29    位置規制部
32    移動規制部
34    整流部
35    整流面
37    支持部材
【図１】
2019208901.tif 000003
【図２】
2019208901.tif 000004
【図３】
2019208901.tif 000005